(57)【要約】【課題】搬送部によって搬送されるシートの画像を読取位置に停止した読取部によって読み取る際の読取品質を向上させることができる画像読取装置を提供する。【解決手段】画像読取装置１は、第２方向に移動する読取部３と、読取部３を収容するハウジング８と、第１位置と第２位置とに変位可能にハウジング８に取り付けられたカバー９と、カバー９に設けられた搬送部４と、ハウジング８に保持され、カバー９が第１位置にあるときに搬送部４により搬送されるシートと第１面Ｓ１で接触し、第２面Ｓ２で読取位置に停止した読取部３と対向するプラテン１９とを備える。読取部３は、読取位置で搬送されるシートの画像を読み取る。カバー９は、第１位置にあるときに、第２方向から見て、読取部３と重なる位置まで延びる延出部２１、２２を有する。読取部３は、カバー９が第１位置にあるときに、延出部２１、２２に当接することにより読取位置に位置決めされる。【選択図】図７
2014236266.tif 000002
【特許請求の範囲】
【請求項１】
第１方向に並ぶ複数の読取素子を有し、前記第１方向に直交する第２方向に移動可能な読取部と、
前記読取部を収容するハウジングと、
前記第１方向及び前記第２方向に直交する第３方向の一方側から前記読取部を覆う第１位置と、前記読取部から離間する第２位置とに変位可能に前記ハウジングに取り付けられたカバーと、
前記カバーに設けられ、シートを搬送する搬送部と、
前記ハウジングに保持され、前記第３方向の一方側を向く第１面と、前記第１面に対して前記第３方向の他方側から対向する第２面とを有し、前記カバーが前記第１位置にあるときに、前記搬送部によって搬送されるシートと前記第１面で接触し、前記第２面で前記読取位置に停止した前記読取部と対向するプラテンと、を備え、
前記読取部は、所定の読取位置に停止した状態で、前記搬送部によって搬送されるシートの画像を読み取る画像読取装置であって、
前記カバーは、前記第１位置にあるときに、前記第２方向から見て、前記読取部と重なる位置まで延びる延出部を有し、
前記読取部は、前記カバーが前記第１位置にあるときに、前記延出部に当接することによって前記読取位置に位置決めされることを特徴とする画像読取装置。
【請求項２】
前記プラテンは、前記第３方向の一方側を向いて読取対象のシートを支持する第１平面と、前記第１平面に対して前記第３方向の他方側から対向する第２平面とを有し、
前記カバーは、前記第１位置にあるときに、前記第３方向の一方側から前記第１平面を覆う一方、前記第２位置にあるときに、前記第１平面を開放し、
前記読取部は、前記第２平面に沿って前記第２方向に移動することにより、前記第１平面に支持されるシートの画像を読み取る請求項１記載の画像読取装置。
【請求項３】
前記ハウジングには、前記カバーが前記第１位置にあるときに、前記延出部を挿通させて前記読取部側に到達させる開口が形成されている請求項１又は２記載の画像読取装置。
【請求項４】
前記カバーは、前記第１位置にあるときに、前記延出部によって前記ハウジングに位置決めされる請求項３記載の画像読取装置。
【請求項５】
前記ハウジングは、前記カバーが前記第２位置にあるときに、前記開口を閉鎖する一方、前記カバーが前記第２位置から前記第１位置に変位するときに、前記開口を開放して前記延出部が前記開口を通過することを許容する開口カバーを有している請求項３又は４記載の画像読取装置。
【請求項６】
前記搬送部によって搬送されるシートを検出する検出部をさらに備え、
前記カバーは、前記搬送部の一部を構成し、前記検出部が取り付けられるカバー部材を有し、
前記延出部は、前記カバー部材に設けられている請求項１乃至５のいずれか１項記載の画像読取装置。
【請求項７】
前記延出部は、前記第２方向に直交する第１当接面を有し、
前記読取部は、前記第２方向に直交し、前記読取位置で前記第１当接面と当接する第２当接面を有している請求項１乃至６のいずれか１項記載の画像読取装置。
【請求項８】
前記読取部は、前記ハウジングに設けられたガイドレールに案内されることにより前記第２方向に移動し、
前記延出部は、前記カバーが前記第１位置にあるときに、少なくとも前記ガイドレールを挟んで前記第１方向の一方側と他方側とに位置している請求項１乃至７のいずれか１項記載の画像読取装置。
【請求項９】
前記延出部は、前記第１方向において、前記搬送部によってシートが搬送される経路の外側に設けられる請求項８記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、読取部とハウジングとカバーと搬送部とプラテンとを備えている。
【０００３】
読取部は、第１方向に並ぶ複数の読取素子を有している。読取部は、第１方向に直交する第２方向に移動可能である。ハウジングは、読取部を収容している。カバーは、第１方向及び第２方向に直交する第３方向の一方側から読取部を覆う第１位置と、読取部から離間する第２位置とに変位可能にハウジングに取り付けられている。搬送部は、カバーに設けられ、シートを搬送する。搬送部によって搬送されるシートの画像を読取部が読み取る際には、読取部は、第２方向に移動して、所定の読取位置に停止する。プラテンは、ハウジングに保持されている。プラテンは、第３方向の一方側を向く第１面と、第１面に対して第３方向の他方側から対向する第２面とを有している。プラテンは、カバーが第１位置にあるときに、搬送部によって搬送されるシートと第１面で接触し、第２面で読取位置に停止した読取部と対向する。
【先行技術文献】
【特許文献】
【０００４】
【特許文献１】特開２０１０−２３９４８９号公報
【発明の概要】
【発明が解決しようとする課題】
【０００５】
ところで、上記従来の画像読取装置において、搬送部によって搬送されるシートの画像を読み取る場合、読取部は、カバーが第１位置にある状態で、ハウジングの側壁内面等に当接することによって読取位置に位置決めされる。つまり、この画像読取装置では、カバーと読取部とがハウジングを介在させた状態で位置決めされる。このため、この画像読取装置では、カバーとハウジングとの位置決めのばらつきにより、カバーに設けられた搬送部と、ハウジングに収容された読取部との位置決め精度が低下し易い。その結果、この画像読取装置では、搬送部によって搬送されるシートの画像を読取位置に停止した読取部によって読み取る際の読取品質を向上させることが難しい。例えば、搬送部によって搬送されるシートが読取部に対して斜行するといった問題が生じる可能性がある。
【０００６】
本発明は、上記従来の実情に鑑みてなされたものであって、搬送部によって搬送されるシートの画像を読取位置に停止した読取部によって読み取る際の読取品質を向上させることができる画像読取装置を提供することを目的とする。
【課題を解決するための手段】
【０００７】
本発明の画像読取装置は、第１方向に並ぶ複数の読取素子を有し、前記第１方向に直交する第２方向に移動可能な読取部と、
前記読取部を収容するハウジングと、
前記第１方向及び前記第２方向に直交する第３方向の一方側から前記読取部を覆う第１位置と、前記読取部から離間する第２位置とに変位可能に前記ハウジングに取り付けられたカバーと、
前記カバーに設けられ、シートを搬送する搬送部と、
前記ハウジングに保持され、前記第３方向の一方側を向く第１面と、前記第１面に対して前記第３方向の他方側から対向する第２面とを有し、前記カバーが前記第１位置にあるときに、前記搬送部によって搬送されるシートと前記第１面で接触し、前記第２面で前記読取位置に停止した前記読取部と対向するプラテンと、を備え、
前記読取部は、所定の読取位置に停止した状態で、前記搬送部によって搬送されるシートの画像を読み取る画像読取装置であって、
前記カバーは、前記第１位置にあるときに、前記第２方向から見て、前記読取部と重なる位置まで延びる延出部を有し、
前記読取部は、前記カバーが前記第１位置にあるときに、前記延出部に当接することによって前記読取位置に位置決めされることを特徴とする。
【０００８】
本発明の画像読取装置では、カバーが延出部を有している。この延出部は、カバーが第１位置にあるときに、第２方向から見て、読取部と重なる位置まで延びる。そして、読取部は、カバーが第１位置にあるときに、延出部に当接することによって読取位置に位置決めされる。つまり、この画像読取装置では、カバーと読取部とがハウジングを介在させずに直接位置決めされる。これにより、この画像読取装置では、カバーとハウジングとの位置決めのばらつきによって搬送部と読取部との位置決め精度が低下することを抑制できる。
【０００９】
したがって、本発明の画像読取装置では、搬送部によって搬送されるシートの画像を読取位置に停止した読取部によって読み取る際の読取品質を向上させることができる。
【００１０】
プラテンは、第３方向の一方側を向いて読取対象のシートを支持する第１平面と、第１平面に対して第３方向の他方側から対向する第２平面とを有していることが望ましい。カバーは、第１位置にあるときに、第３方向の一方側から第１平面を覆う一方、第２位置にあるときに、第１平面を開放することが望ましい。そして、読取部は、第２平面に沿って第２方向に移動することにより、第１平面に支持されるシートの画像を読み取ることが望ましい。この構成によれば、読取部により、シートの画像を２通りの読取方法で読み取ることができる。
【００１１】
ハウジングには、カバーが第１位置にあるときに、延出部を挿通させて読取部側に到達させる開口が形成されていることが望ましい。このような簡単な構成により、カバーに設けられた搬送部と、ハウジングに収容された読取部との位置決め精度が低下することを抑制できる。
【００１２】
カバーは、第１位置にあるときに、延出部によってハウジングに位置決めされることが望ましい。この構成によれば、延出部により、ハウジングに対するカバーの位置決めのばらつきを小さくできる。
【００１３】
ハウジングは、カバーが第２位置にあるときに、開口を閉鎖する一方、カバーが第２位置から第１位置に変位するときに、開口を開放して延出部が開口を通過することを許容する開口カバーを有していることが望ましい。この構成によれば、開口カバーにより、開口からハウジング内に埃等の異物が入り込むことを抑制できる。
【００１４】
本発明の画像読取装置は、搬送部によって搬送されるシートを検出する検出部をさらに備えていることが望ましい。カバーは、搬送部の一部を構成し、検出部が取り付けられるカバー部材を有していることが望ましい。そして、延出部は、カバー部材に設けられていることが望ましい。この構成によれば、検出部が取り付けられるカバー部材に延出部が設けられていることにより、検出部と読取部との相対位置関係が安定する。その結果、この画像読取装置では、搬送部によって搬送されるシートの画像を読取位置に停止した読取部によって読み取る際の読取開始タイミングの制御等、検出部の検出結果に基づいて行われる制御の精度が向上する。
【００１５】
延出部は、第２方向に直交する第１当接面を有していることが望ましい。そして、読取部は、第２方向に直交し、読取位置で第１当接面と当接する第２当接面を有していることが望ましい。この構成によれば、それぞれ第２方向に直交する第１当接面と第２当接面との当接によって、読取部が読取位置に位置決めされるので、第１当接面と第２当接面とが当接の繰り返しによっても摩耗し難い。その結果、この画像読取装置では、読取部を長期に亘って安定して読取位置に位置決めできる。
【００１６】
読取部は、ハウジングに設けられたガイドレールに案内されることにより第２方向に移動することが望ましい。そして、延出部は、カバーが第１位置にあるときに、少なくともガイドレールを挟んで第１方向の一方側と他方側とに位置していることが望ましい。この構成によれば、少なくともガイドレールを第１方向において挟む２か所に位置する延出部によって、読取部を読取位置で精度良く位置決めできる。
【００１７】
延出部は、第１方向において、搬送部によってシートが搬送される経路の外側に設けられることが望ましい。延出部が第１方向において、搬送部によってシートが搬送される経路の内側に設けられている場合、搬送部によって搬送されるシートに延出部が干渉しないように、延出部を第２方向において、シートが搬送される経路から離間させる必要がある。その結果、画像読取装置を第２方向において小型化することが難しい。この点、上記構成によれば、延出部を第２方向において、シートが搬送される経路に接近させることができるので、画像読取装置を第２方向において小型化できる。
【図面の簡単な説明】
【００１８】
【図１】実施例の画像読取装置の斜視図である。
【図２】実施例の画像読取装置の模式正面図である。
【図３】実施例の画像読取装置に係り、カバーが第２位置にある状態を示す部分側面図である。
【図４】実施例の画像読取装置に係り、カバーが第２位置にある状態を示す部分正面図である。
【図５】実施例の画像読取装置に係り、ハウジング、プラテン、読取部等を示す上面図である。
【図６】実施例の画像読取装置の部分断面図である。
【図７】実施例の画像読取装置に係り、図５からハウジングの枠体と、プラテンとを取り外した状態を示す部分上面図である。
【図８】実施例の画像読取装置に係り、図７のＡ−Ａ断面であって、カバーが第２位置にある状態を示す部分断面図である。
【図９】実施例の画像読取装置に係り、図７のＡ−Ａ断面であって、カバーが第１位置にある状態を示す部分断面図である。
【図１０】実施例の画像読取装置に係り、図７のＢ−Ｂ断面であって、カバーが第２位置にある状態を示す部分断面図である。
【図１１】実施例の画像読取装置に係り、図７のＢ−Ｂ断面であって、カバーが第１位置にある状態を示す部分断面図である。
【発明を実施するための形態】
【００１９】
以下、本発明を具体化した実施例を図面を参照しつつ説明する。
【００２０】
（実施例）
図１に示すように、実施例の画像読取装置１は、本発明の画像読取装置の具体的態様の一例である。図１では、操作パネル５が設けられた側を装置の前側と規定し、操作パネル５に向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００２１】
＜全体構成＞
図１〜図５に示すように、画像読取装置１は、ハウジング８とカバー９とプラテンガラス１９とを備えている。プラテンガラス１９は、本発明の「プラテン」の一例である。また、画像読取装置１は、図６に示すように、搬送部４と検出部６０と読取部３とを備えている。
【００２２】
図１に示すように、ハウジング８は、扁平な略箱状体である。ハウジング８の前側には、操作パネル５が設けられている。図２に示すように、ハウジング８の下側部分には、インクジェット方式又はレーザ方式等の画像形成部７が収容されている。
【００２３】
図１、図３及び図４に示すように、カバー９は、ハウジング８の後面側上端縁に配設された図示しないヒンジにより、左右方向に延びる開閉軸心Ｘ９周りに揺動可能にハウジング８に支持されている。カバー９は、図１に実線で示すように、閉じた状態ではハウジング８の上面を上側から覆っている。図１に実線で示すカバー９の位置を第１位置とする。その一方、カバー９は、図１に二点鎖線で示すように、また、図３及び図４に示すように、その前側が上方かつ後方に変位するように開閉軸心Ｘ９周りに揺動することにより、ハウジング８の上面を開放する。図３及び図４に示すカバー９の位置を第２位置とする。上下方向は、本発明の「第３方向」の一例である。上側が第３方向の一方側であり、下側が第３方向の他方側である。
【００２４】
図４及び図６に示すように、カバー９は、樹脂製のカバー部材２０を有している。カバー部材２０は、カバー９の下側で略平板状に延在して、カバー９の下面を構成している。
【００２５】
図２、図５及び図６に示すように、プラテンガラス１９は、透明ガラス製の平板である。プラテンガラス１９は、ハウジング８の上面に保持されている。より詳しくは、図６及び図７に示すように、ハウジング８は、ベース部材８３を有している。ベース部材８３は、底壁部８３Ｂと側壁８３Ａとを有している。底壁部８３Ｂは、画像形成部７の上側で略水平に延在している。側壁８３Ａは、底壁部８３Ｂの周囲を前後左右から囲むように立ち上がっている。
【００２６】
図５に破線で示すプラテンガラス１９の外周縁１９Ｅは、側壁８３Ａの図示しない上端縁部に当接することにより、ベース部材８３に下側から支持されている。図５及び図６に示すように、ハウジング８は、枠体８５を有している。プラテンガラス１９の外周縁１９Ｅに対して上側から枠体８５が当接し、枠体８５がベース部材８３の側壁８３Ａに結合されることにより、プラテンガラス１９がハウジング８の上面に固定されている。つまり、プラテンガラス１９は、ベース部材８３と枠体８５との間に挟まれた状態でハウジング８に保持されている。そして、底壁部８３Ｂと側壁８３Ａとプラテンガラス１９とに囲まれた空間は、収容部８Ａとされている。
【００２７】
枠体８５は、第１窓部８５Ａと第２窓部８５Ｂとを有している。第１窓部８５Ａは、ハウジング８の上面の左側に位置し、前後方向に細長い矩形状に開口している。第２窓部８５Ｂは、ハウジング８の上面の右側に位置し、前後方向及び左右方向に長い矩形状に開口している。
【００２８】
図６に示すように、プラテンガラス１９は、第１面Ｓ１と第２面Ｓ２と第１平面ＦＳ１と第２平面ＦＳ２とを有している。プラテンガラス１９の上面のうち第１窓部８５Ａによって露出する面が第１面Ｓ１である。第１面Ｓ１に対して下側から対向する面が第２面Ｓ２である。プラテンガラス１９の上面のうち第２窓部８５Ｂによって露出する面が第１平面ＦＳ１である。第１平面ＦＳ１に対して下側から対向する面が第２平面ＦＳ２である。カバー９が第１位置にあるときに、カバー９におけるカバー部材２０によって第１面Ｓ１及び第１平面ＦＳ１が上側から覆われ、第１面Ｓ１に、搬送部４によって搬送されるシートが接触する。カバー９が第２位置にあるときに、第１面Ｓ１及び第１平面ＦＳ１の上側が開放される。この状態で、第１平面ＦＳ１は、静止した状態で読み取られるシートを支持する。この場合のシートには、書籍等が含まれる。
【００２９】
図１、図２及び図６に示すように、カバー９内には、搬送部４が設けられている。カバー９の上側には、供給トレイ９Ａと排出部９Ｂとが設けられている。供給トレイ９Ａは、搬送部４によって搬送されるシートを保持する。排出部９Ｂは、供給トレイ９Ａの上側に位置している。排出部９Ｂには、搬送部４によって搬送されたシートが排出される。
【００３０】
図６に示すように、搬送部４は、カバー９が第１位置にある状態で、供給トレイ９Ａ上のシートを経路Ｐ１に沿って順次搬送する。経路Ｐ１は、供給トレイ９Ａから左側に向かって略水平に延び、搬送部４によって搬送されるシートが通過する空間である。搬送部４は、この経路Ｐ１の略水平に延びる部分に沿う位置に、供給ローラ４１と分離ローラ４２と分離パッド４２Ａとを有している。供給ローラ４１は、供給トレイ９Ａ上のシートを分離ローラ４２に向けて送り出す。分離ローラ４２及び分離パッド４２Ｂは、供給ローラ４１によって送り出されたシートが複数枚重なっている場合にそれらのシートを１枚ずつに分離する。
【００３１】
次に、経路Ｐ１は、第１位置にあるカバー９に覆われたプラテンガラス１９の第１面Ｓ１に向かって下り傾斜している。搬送部４は、この経路Ｐ１の下り傾斜に延びる部分に沿う位置に、第１搬送ローラ４３及びピンチローラ４３Ａを有している。第１搬送ローラ４３及びピンチローラ４３Ａは対向して配置され、経路Ｐ１の一部を構成している。そして、第１搬送ローラ４３及びピンチローラ４３Ａは、分離ローラ４２及び分離パッド４２Ｂより１枚ずつに分離されたシートを第１面Ｓ１に向けて搬送する。
【００３２】
次に、経路Ｐ１は、プラテンガラス１９の第１面Ｓ１に沿って左方に短く延びている。搬送部４は、プラテンガラス１９の第１面Ｓ１に対して上側から対向する押圧部材４９を有している。このプラテンガラス１９の第１面Ｓ１と、それに対向する押圧部材４９とは、経路Ｐ１の一部を形成している。押圧部材４９は、ベース部材２０に形成された押圧部材支持部２９に支持されている。押圧部材支持部２９は、カバー９が第１位置にあるときに、第１面Ｓ１の上側に位置して前後方向に細長く延び、第１面Ｓ１を前後方向において跨いでいる。押圧部材支持部２９と押圧部材４９との間には、付勢バネ４９Ｓが配設されている。押圧部材４９は、付勢バネ４９Ｓにより、第１面Ｓ１に向けて付勢されている。押圧部材４９は、第１搬送ローラ４３及びピンチローラ４３Ａにより搬送されるシートを上側から押圧して、第１面Ｓ１に接触させる。
【００３３】
次に、経路Ｐ１は、上向きにＵターンして右側に向きを変え、略水平に延びて排出部９Ｂに至る。搬送部４は、この経路Ｐ１のＵターンする部分に沿う位置に、第２搬送ローラ４４、ピンチローラ４４Ａ、４４Ｂ及び湾曲ガイド面４４Ｇを有している。つまり、第２搬送ローラ４４と、それに対向して配置されるピンチローラ４４Ａ、４４Ｂと、ピンチローラ４４Ａとピンチローラ４４Ｂとの間で第２搬送ローラ４４に対向しながら湾曲する湾曲ガイド面４４Ｇとは、経路Ｐ１のＵターン形状を規定している。第２搬送ローラ４４、ピンチローラ４４Ａ、４４Ｂ及び湾曲ガイド面４４Ｇは、第１面Ｓ１に接触しながら搬送されたシートを上向きにＵターンさせ、排出部９Ｂに排出する。
【００３４】
ベース部材２０は、供給ローラ４１から第２搬送ローラ４４まで搬送されるシートを下側から案内する案内面を形成している。つまり、ベース部材２０は、搬送部４の一部であり、経路Ｐ１の一部を形成している。
【００３５】
検出部６０は、ベース部材２０の押圧部材支持部２９に取り付けられている。検出部６０は、フォトインタラプタ６２とアクチュエータ６１とを有している。フォトインタラプタ６２は、発光素子から受光素子に向けて光を照射し、その光路の開放又は遮断を検出するものである。アクチュエータ６１は、図６に実線と二点鎖線とで示すように、押圧部材支持部２９に揺動可能に支持されている。図６に実線で示すように、アクチュエータ６１の下端は、第１搬送ローラ４３と押圧部材２９との間で経路Ｐ１を跨いでいる。アクチュエータ６１の上端は、フォトインタラプタ６２の光路を遮断している。アクチュエータ６１は、搬送ローラ４３及びピンチローラ４３Ａによって搬送されるシートにその下端が当接することにより、図６に二点鎖線で示す位置まで揺動する。すると、アクチュエータ６１の上端がフォトインタラプタ６２の光路を開放する。こうして、検出部６０は、経路Ｐ１に沿って搬送されるシートが第１面Ｓ１に接触する直前に、そのシートの位置を検出する。
【００３６】
図２及び図５〜図１１に示すように、読取部３は、収容部８Ａに収容されている。読取部３は、カバー９が第１位置にあるときに、カバー９によって上側から覆われる。一方、カバー９は、第２位置に変位することにより、読取部３に対して上方に離間する。読取部３は、キャリッジ３０と、イメージセンサ３８とを有している。
【００３７】
図５〜図７に示すように、キャリッジ３０は、前後方向に細長い樹脂製部材である。キャリッジ３０は、収容部８Ａの前端部から後端部まで延びている。
【００３８】
イメージセンサ３８は、収容部８Ａ内でプラテンガラス１９に対して下側から対向するようにキャリッジ３０に支持されている。
【００３９】
図５に示すように、イメージセンサ３８は、複数の読取素子３９を有している。図５では、複数の読取素子の集合体に符号３９を付している。各読取素子３９は、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサである。各読取素子３９は前後方向に直線状に整列している。前後方向は、本発明の「第１方向」の一例である。また、後述するガイドレール８９を基準にして、前側に向かう方向が第１方向の一方側であり、後側に向かう方向が第１方向の他方側である。
【００４０】
図５及び図７に示すように、ベース部材８３の底壁部８３Ｂには、ガイドレール８９が配設されている。ガイドレール８９は、略Ｌ字断面の金属製長尺体である。ガイドレール８９は、底壁部８３Ｂにおける前後方向の中間部に位置して、左右方向に延びている。キャリッジ３０は、その裏面側でガイドレール８９に対して左右方向に移動可能に嵌合している。
【００４１】
収容部８Ａ内には、キャリッジ３０を左右方向に往復動させる図示しないスライド機構が設けられている。読取部３は、図示しない制御部によってスライド機構が作動し、キャリッジ３０がガイドレール８９に左右方向に案内されることにより、収容部８Ａの左端側から右端側までの間で、より詳しくは、第２面Ｓ２に下側から対向する位置から、第２平面ＦＳ２の左端側を通過し、第２平面ＦＳ２の右端側までの間で往復移動可能となっている。左右方向は、本発明の「第２方向」の一例である。
【００４２】
図６、図７及び図１１に示すように、読取部３は、搬送部４によって搬送されるシートの画像を読み取る場合、収容部８Ａの左端側に移動し、プラテンガラス１９の第２面Ｓ２に対して下側から対向する読取位置に停止する。図６、図７及び図１１に示す読取部３の位置が読取位置である。
【００４３】
＜読取部の位置決め構成＞
この画像読取装置１では、以下のようにして、読取部３を読取位置に精度よく位置決めするようになっている。図３、図４、図７〜図９及び図１１に示すように、カバー９は、延出部２１、２２を有している。延出部２１、２２は、カバー９におけるカバー部材２０に形成されている。
【００４４】
図４に示すように、延出部２１は、カバー部材２０の左端縁側、かつ前側の角部の近傍から下側に向けて四角柱状に突出している。延出部２２は、カバー部材２０の左端縁側、かつ後側の角部の近傍から下側に向けて四角柱状に突出している。
【００４５】
延出部２１、２２は、カバー部材２０から露出する押圧部材４９より左側に位置している。延出部２１は、押圧部材４９の前端より前側に位置している。延出部２２は、押圧部材４９の後端より後側に位置している。
【００４６】
搬送部４に搬送されるシートの経路Ｐ１の横幅、すなわち、前後方向の長さは、押圧部材４９の前後方向の長さより短い。図７に経路Ｐ１の横幅Ｗ１を示すように、延出部２１、２２は、前後方向において、経路Ｐ１の外側に設けられている。
【００４７】
延出部２１は、第１当接面２１Ａを有している。第１当接面２１Ａは、延出部２１の右側を向く側面であり、左右方向に直交している。延出部２２は、第１当接面２２Ａを有している。第１当接面２２Ａは、延出部２２の右側を向く側面であり、左右方向に直交している。
【００４８】
図５及び図８〜図１１に示すように、ハウジング８の枠体８５には、開口８１Ｈ、８２Ｈが形成されている。開口８１Ｈは、枠体８５の左端縁側、かつ前側の角部の近傍において上下方向に貫通する矩形穴である。開口８２Ｈは、枠体８５の左端縁側、かつ後側の角部の近傍において上下方向に貫通する矩形穴である。
【００４９】
図５に示すように、開口８１Ｈ、８２Ｈは、枠体８５の第１窓部８５Ａより左側に位置している。開口８１Ｈは、第１窓部８５Ａの前端の近傍に位置している。開口８２Ｈは、第１窓部８５Ａの後端の近傍に位置している。
【００５０】
図５、図７、図８、図１０及び図１１に示すように、ハウジング８は、開口カバー８１、８２を有している。開口カバー８１、８２は、枠体８５に組み付けられている。開口カバー８１は、開口８１Ｈを塞ぐ略矩形状の小板である。開口カバー８１の左端縁は、開閉軸心Ｘ８１周りに揺動可能に枠体８５に支持されている。開口カバー８２は、開口８２Ｈを塞ぐ略矩形状の小板である。開口カバー８２の左端縁は、開閉軸心Ｘ８２周りに揺動可能に枠体８５に支持されている。
【００５１】
開口カバー８１と枠体８５との間には、図示しない捩じりコイルバネが配設されている。図８及び図１０に示すように、開口カバー８１は、この捩じりコイルバネに付勢されることにより、カバー９が第２位置にあるときに、開口８１Ｈを塞ぐ。開口カバー８２と枠体８５との間にも、図示しない捩じりコイルバネが配設されている。開口カバー８２も、この捩じりコイルバネに付勢されることにより、カバー９が第２位置にあるときに、開口８２Ｈを塞ぐ。
【００５２】
図９及び図１１に示すように、カバー９が第２位置から第１位置に変位すると、延出部２１が開口カバー８１を押し下げながら、開口８１Ｈに進入する。延出部２２が開口カバー８２を押し下げながら、開口８２Ｈに進入する。この際、開口カバー８１は、捩じりコイルバネの付勢力に抗しつつ、下側に揺動して開口８１Ｈを開放し、延出部２１が開口８１Ｈを通過することを許容する。開口カバー８２も、捩じりコイルバネの付勢力に抗しつつ、下側に揺動して開口８２Ｈを開放し、延出部２２が開口８２Ｈを通過することを許容する。その結果、延出部２１、２２が収容部８Ａ内に到達する。
【００５３】
図７に示すように、延出部２１、２２は、カバー９が第１位置にあるときに、ガイドレール８９を挟んで前側と後側とに位置している。
【００５４】
図４、図８及び図９に示すように、開口８１Ｈ、８２Ｈは、開閉軸心Ｘ９を中心とする円弧状の軌跡を描いて収容部８Ａ内に到達する延出部２１、２２に干渉しないように、前後方向に長くされている。
【００５５】
図１１に示すように、延出部２１の根元部２１Ｃは、カバー９が第１位置にあるときに、開口８１Ｈの左端縁と右端縁とに当接している。図示は省略するが、延出部２２の根元部も、カバー９が第１位置にあるときに、開口８２Ｈの左端縁と右端縁とに当接している。このように、カバー９は、第１位置にあるときに、延出部２１の根元部２１Ｃが左右方向において開口８１Ｈに嵌り込み、延出部２２の根元部が左右方向において開口８２Ｈに嵌り込むことにより、左右方向において、ハウジング８に位置決めされる。
【００５６】
図５及び図７〜図１１に示すように、読取部３は、第２当接面３１Ａ、３２Ａを有している。第２当接面３１Ａ、３２Ａは、キャリッジ３０に形成されている。
【００５７】
第２当接面３１Ａは、キャリッジ３０の左端側かつ前端側の角部から左側に突出する凸部の先端面である。第２当接面３１Ａは、左右方向に直交している。第２当接面３２Ａは、キャリッジ３０の左端側かつ後端側の角部から左側に突出する凸部の先端面である。第２当接面３２Ａも、左右方向に直交している。
【００５８】
図９及び図１１に示すように、延出部２１、２２は、カバー９が第１位置にあるときに、左右方向から見て、読取部３のキャリッジ３０と重なる位置まで延びている。より詳しくは、延出部２１、２２の下端は、第２当接面３１Ａ、３２Ａよりも下側に位置している。
【００５９】
読取部３は、カバー９が第１位置にあるときに、ガイドレール８９に沿って収容部８Ａの左端側に移動し、延出部２１の第１当接面２１Ａにキャリッジ３０の第２当接面３１Ａが当接し、延出部２２の第１当接面２２Ａにキャリッジ３０の第２当接面３２Ａが当接することによって読取位置に精度よく位置決めされる。
【００６０】
＜画像読取動作＞
この画像読取装置１では、第１平面ＦＳ１に載置されたシートの画像を読み取る場合、図示しない制御部がスライド機構を作動させ、図２に示すように、読取部３を左右方向に往復移動させる。これにより、読取部３がプラテンガラス１９の第２平面ＦＳ２に対して下側から対向しながら、第２平面ＦＳ２の右端側から左端側まで移動し、イメージセンサ３８の各読取素子３９が第１平面ＦＳ１に載置されたシートの画像を読み取る。
【００６１】
また、この画像読取装置１では、供給トレイ９Ａに載置される複数枚のシートの画像を読み取る場合、図４に示すように、図示しない制御部がスライド機構を作動させ、読取部３を収容部８Ａの左端側に移動させて読取位置に停止させる。そして、搬送部４によって供給トレイ９Ａ上のシートが経路Ｐ１に沿って順次搬送される。そして、そのシートが第１面Ｓ１に接触しながら搬送されることにより、読取位置にあるイメージセンサ３８の上側をそのシートが通過する。この時、イメージセンサ３８の各読取素子３９は、その通過するシートの画像を読み取る。この際、経路Ｐ１に沿って搬送されるシートの位置を検出部６０が第１面Ｓ１の直前で検出し、図示しない制御部に伝達する。すると、図示しない制御部は、検出部６０の検出結果に基づいて、そのシートの先端が各読取素子３９の真上を通過するタイミング等を算出し、各読取素子３９がシートの画像の読取を開始するタイミング等を制御する。
【００６２】
ここで、仮に、読取部３が本来の読取位置に対して平行なまま前後方向に位置ずれしたり、読取部３が本来の読取位置に対して傾斜するように位置ずれした場合を想定する。この場合、各読取素子３９が画像の読取を開始するタイミング等が搬送されるシートの実際の通過タイミング等に対してずれたり、画像データにゆがみが発生したりして、読取画像の品質が不安定になるおそれがある。この点、この画像読取装置１では、読取部３は、延出部２１の第１当接面２１Ａにキャリッジ３０の第２当接面３１Ａが当接し、延出部２２の第１当接面２２Ａにキャリッジ３０の第２当接面３２Ａが当接することによって読取位置に精度よく位置決めされるので、読取画像の品質が向上する。
【００６３】
＜作用効果＞
実施例の画像読取装置１では、図９及び図１１に示すように、カバー９のカバー部材２０に形成された延出部２１、２２は、カバー９が第１位置にあるときに、左右方向から見て、読取部３のキャリッジ３０に形成された第２当接面３１Ａ、３２Ａと重なる位置まで延びる。そして、読取部３は、カバー９が第１位置にあるときに、延出部２１の第１当接面２１Ａにキャリッジ３０の第２当接面３１Ａが当接し、延出部２２の第１当接面２２Ａにキャリッジ３０の第２当接面３２Ａが当接することによって読取位置に位置決めされる。つまり、この画像読取装置１では、カバー９と読取部３とがハウジング８を介在させずに直接位置決めされる。これにより、この画像読取装置１では、カバー９とハウジング８との位置決めのばらつきによって、カバー９に設けられた搬送部４と、ハウジング８の収容部８Ａに収容された読取部３との位置決め精度が低下することを抑制できる。
【００６４】
したがって、実施例の画像読取装置１では、搬送部４によって搬送されるシートの画像を読取位置に停止した読取部３によって読み取る際の読取品質を向上させることができる。
【００６５】
また、この画像読取装置１では、プラテンガラス１９が第１面Ｓ１及び第２面Ｓ２と、第１平面ＦＳ１及び第２平面ＦＳ２とを有し、読取部３が第２面Ｓ２及び第２平面ＦＳ２に沿って左右方向に移動可能である。これにより、この画像読取装置１では、シートの画像を２通りの読取方法で読み取ることができる。より詳しくは、供給トレイ９Ａ上の複数枚のシートを搬送しながら第１面Ｓ１及び第２面Ｓ２を通して読み取る方法と、第１平面ＦＳ１に支持されるシートを第１平面ＦＳ１及び第２平面ＦＳ２を通して読み取る方法とで、読み取ることができる。
【００６６】
さらに、この画像読取装置１では、枠体８５に形成された開口８１Ｈ、８２Ｈにより、カバー９が第１位置にあるときに、延出部２１、２２を挿通させて読取部３側に到達させることを容易に実現できる。このような簡単な構成により、この画像読取装置１では、カバー９に設けられた搬送部４と、ハウジング８の収容部８Ａに収容された読取部３との位置決め精度が低下することを抑制できる。
【００６７】
また、この画像読取装置１では、カバー９は、図１１に示すように、第１位置にあるときに、延出部２１の根元部２１Ｃが左右方向において開口８１Ｈに嵌り込み、延出部２２の根元部が左右方向において開口８２Ｈに嵌り込む。これにより、延出部２１、２２が左右方向において、ハウジング８に位置決めされるので、ハウジング８に対するカバー９の位置決めのばらつきを小さくできる。
【００６８】
さらに、この画像読取装置１では、図８及び図１０に示すように、カバー９が第２位置にあるときに、開口カバー８１、８２が開口８１Ｈ、８２Ｈを塞ぐので、開口８１Ｈ、８２Ｈからハウジング８の収容部８Ａ内に埃等の異物が入り込むことを抑制できる。
【００６９】
また、この画像読取装置１では、図６及び図１１に示すように、検出部６０が取り付けられるカバー部材２０に延出部２１、２２が形成されていることにより、検出部６０と読取部３との相対位置関係が安定する。その結果、この画像読取装置１では、搬送部４によって搬送されるシートの画像を読取位置に停止した読取部３によって読み取る際の読取開始タイミングの制御等、検出部６０の検出結果に基づいて行われる制御の精度が向上する。
【００７０】
さらに、この画像読取装置１では、図１１に示すように、それぞれ左右方向に直交する第１当接面２１Ａ、２２Ａと第２当接面３１Ａ、３２Ａとの当接によって、読取部３が読取位置に位置決めされるので、第１当接面２１Ａ、２２Ａと第２当接面３１Ａ、３２Ａとが当接の繰り返しによっても摩耗し難い。その結果、この画像読取装置１では、読取部３を長期に亘って安定して読取位置に位置決めできる。
【００７１】
また、この画像読取装置１では、図７に示すように、ガイドレール８９を前側及び後側から挟むように２か所に位置する延出部２１、２２によって、読取部３を読取位置で位置決めしているので、仮に延出部２１及び延出部２２の一方のみで読取部３を読取位置で位置決めする場合と比較して、読取部３が傾斜し難い。その結果、この画像読取装置１では、読取部３を読取位置で一層精度良く位置決めできる。
【００７２】
さらに、この画像読取装置１では、図７に示すように、延出部２１、２２は、前後方向において、搬送部４によってシートが搬送される経路Ｐ１の横幅Ｗ１の外側に設けられる。ここで、延出部２１、２２が前後方向において、搬送部４によってシートが搬送される経路Ｐ１の内側に設けられている場合、搬送部４によって搬送されるシートに延出部２１、２２が干渉しないように、延出部２１、２２を左右方向において、シートが搬送される経路Ｐ１から離間させる必要がある。その結果、画像読取装置１を左右方向において小型化することが難しい。この点、この画像読取装置１では、上記構成により、延出部２１、２２を左右方向において、シートが搬送される経路Ｐ１、特に経路Ｐ１の第１面Ｓ１に沿う部分に接近させることができるので、画像読取装置１を左右方向において小型化できる。
【００７３】
以上において、本発明を実施例に即して説明したが、本発明は上記実施例に制限されるものではなく、その趣旨を逸脱しない範囲で適宜変更して適用できることはいうまでもない。
【００７４】
例えば、ハウジングの側面に開口が形成され、読取部の一部が開口を通過して、ハウジングの外側にある延出部に当接することにより、読取部が読取位置に位置決めされてもよい。
【００７５】
実施例の１枚のプラテンガラス１９の代わりに、２枚のプラテンガラスを用意して、一方のプラテンガラスが第１面と第２面とを有し、他方のプラテンガラスが第１平面と第２平面とを有する構成を採用してもよい。
【００７６】
実施例の延出部２１、２２は、前後方向において分断しているが、延出部２１から延出部２２まで前後方向に連続させて、一つながりの延出部としてもよい。
【産業上の利用可能性】
【００７７】
本発明は画像読取装置、複合機等に利用可能である。
【符号の説明】
【００７８】
１…画像読取装置、３９…読取素子、３…読取部、８…ハウジング
９…カバー、４…搬送部、１９…プラテン（プラテンガラス）
Ｓ１…第１面、Ｓ２…第２面、ＦＳ１…第１平面、ＦＳ２…第２平面
２１、２２…延出部、８１Ｈ、８２Ｈ…開口、８１、８２…開口カバー
６０…検出部、２０…カバー部材、８９…ガイドレール
２１Ａ、２２Ａ…第１当接面、３１Ｂ、３２Ｂ…第２当接面
Ｐ１…搬送部によってシートが搬送される経路
【図１】
2014236266.tif 000003
【図２】
2014236266.tif 000004
【図３】
2014236266.tif 000005
【図４】
2014236266.tif 000006
【図５】
2014236266.tif 000007
【図６】
2014236266.tif 000008
【図７】
2014236266.tif 000009
【図８】
2014236266.tif 000010
【図９】
2014236266.tif 000011
【図１０】
2014236266.tif 000012
【図１１】
2014236266.tif 000013